(57)【要約】【課題】起動時に電池情報を検出するか否かを適切に決定するカメラを提供する。【解決手段】カメラは、電池４０の残量情報を検出する検出手段１７と、検出された残量情報を記憶する記憶手段１３と、起動時、電池４０の残量情報を検出手段１７で検出するか否かを、記憶手段１３に記憶されている残量情報を用いて決定する決定手段１１とを備える。【選択図】図１
2008191312.tif 000002
【特許請求の範囲】
【請求項１】
電池の残量情報を検出する検出手段と、
検出された前記残量情報を記憶する記憶手段と、
起動時、前記電池の残量情報を前記検出手段で検出するか否かを、前記記憶手段に記憶されている前記残量情報を用いて決定する決定手段とを備えることを特徴とするカメラ。
【請求項２】
請求項１に記載のカメラにおいて、
前記決定手段は、撮影準備処理へ進む前に前記電池の残量情報を前記検出手段で検出するか否かを決定することを特徴とするカメラ。
【請求項３】
請求項１または２に記載のカメラにおいて、
前記決定手段は、前記記憶されている前記残量情報が所定量以下の場合に前記電池の残量情報を検出することを決定し、前記記憶されている前記残量情報が前記所定量を満たす場合に前記電池の残量情報を検出しないことを決定することを特徴とするカメラ。
【請求項４】
請求項１〜３のいずれか一項に記載のカメラにおいて、
前記カメラの停止時からの経過時間を計時する計時手段をさらに備え、
前記決定手段は、前記起動時、前記電池の残量情報を前記検出手段で検出するか否かを、前記計時手段による計時時間を用いて決定することを特徴とするカメラ。
【請求項５】
請求項４に記載のカメラにおいて、
前記決定手段は、前記計時時間が所定時間より長い場合に前記電池の残量情報を検出することを決定し、前記計時時間が前記所定時間以下の場合に前記電池の残量情報を検出しないことを決定することを特徴とするカメラ。
【請求項６】
請求項１〜５のいずれか一項に記載のカメラにおいて、
前記電池の装填部の開扉情報を検出する開扉検出手段をさらに備え、
前記決定手段は、前記起動時、前記電池の残量情報を前記検出手段で検出するか否かを、前記開扉検出手段による開扉情報を用いて決定することを特徴とするカメラ。
【請求項７】
請求項６に記載のカメラにおいて、
前記決定手段は、前記開扉情報が検出されている場合に前記電池の残量情報を検出することを決定し、前記開扉情報が検出されていない場合に前記電池の残量情報を検出しないことを決定することを特徴とするカメラ。
【請求項８】
請求項１〜７のいずれか一項に記載のカメラにおいて、
前記決定手段が前記電池の残量情報を検出することを決定した場合、前記検出手段に前記電池の残量情報を検出させてから前記撮影準備の処理へ進み、前記決定手段が前記電池の残量情報を検出しないことを決定した場合、ただちに前記撮影準備の処理へ進める制御手段をさらに備えることを特徴とするカメラ。
【請求項９】
請求項８に記載のカメラにおいて、
前記検出手段は、前記撮影準備の処理へ進んだ以降に所定間隔で前記電池の残量情報を検出し、
前記記憶手段は直近の前記残量情報を記憶し、前記カメラの停止後も記憶内容を保持することを特徴とするカメラ。
【発明の詳細な説明】
【技術分野】
【０００１】
本発明は、カメラに関する。
【背景技術】
【０００２】
電子機器が動作可能になるまでの起動時間を短縮する技術が知られている（特許文献１参照）。従来技術では、起動時に読み込むプログラムを最小限にするように起動制御される。最小限のプログラムには、電源判断プログラムが含まれている。
【０００３】
【特許文献１】特開２００１−２０９５４５号公報
【発明の開示】
【発明が解決しようとする課題】
【０００４】
起動時に毎回電池（電源）情報を検出する処理を行うと、素早い起動の妨げになるという問題があった。
【課題を解決するための手段】
【０００５】
（１）本発明によるカメラは、電池の残量情報を検出する検出手段と、検出された残量情報を記憶する記憶手段と、起動時、電池の残量情報を検出手段で検出するか否かを、記憶手段に記憶されている残量情報を用いて決定する決定手段とを備えることを特徴とする。
（２）請求項１に記載のカメラにおいて、決定手段は、撮影準備処理へ進む前に電池の残量情報を検出手段で検出するか否かを決定することが好ましい。
（３）請求項１または２に記載のカメラにおいて、決定手段は、記憶されている残量情報が所定量以下の場合に電池の残量情報を検出することを決定し、記憶されている残量情報が所定量を満たす場合に電池の残量情報を検出しないことを決定するのが好ましい。
（４）請求項１〜３のいずれか一項に記載のカメラはさらに、カメラの停止時からの経過時間を計時する計時手段を備えてもよい。この場合の決定手段は、起動時、電池の残量情報を検出手段で検出するか否かを、計時手段による計時時間を用いて決定するのが好ましい。
（５）請求項４に記載のカメラにおいて、決定手段は、計時時間が所定時間より長い場合に電池の残量情報を検出することを決定し、計時時間が所定時間以下の場合に電池の残量情報を検出しないことを決定するのが好ましい。
（６）請求項１〜５のいずれか一項に記載のカメラはさらに、電池の装填部の開扉情報を検出する開扉検出手段を備えてもよい。この場合の決定手段は、起動時、電池の残量情報を検出手段で検出するか否かを、開扉検出手段による開扉情報を用いて決定するのが好ましい。
（７）請求項６に記載のカメラにおいて、決定手段は、開扉情報が検出されている場合に電池の残量情報を検出することを決定し、開扉情報が検出されていない場合に電池の残量情報を検出しないことを決定するのが好ましい。
（８）請求項１〜７のいずれか一項に記載のカメラはさらに、決定手段が電池の残量情報を検出することを決定した場合、検出手段に電池の残量情報を検出させてから撮影準備の処理へ進み、決定手段が電池の残量情報を検出しないことを決定した場合、ただちに撮影準備の処理へ進める制御手段を備えてもよい。
（９）請求項８に記載のカメラにおいて、検出手段は、撮影準備の処理へ進んだ以降に所定間隔で電池の残量情報を検出し、記憶手段は直近の残量情報を記憶し、カメラの停止後も記憶内容を保持することが好ましい。
【発明の効果】
【０００６】
本発明によるカメラでは、起動時に電池情報を検出するか否かを適切に決定できる。
【発明を実施するための最良の形態】
【０００７】
以下、図面を参照して本発明を実施するための最良の形態について説明する。図１は、本発明の一実施の形態による電子カメラ１の要部構成を説明するブロック図である。電子カメラ１は、ＣＰＵ１１によって制御される。
【０００８】
撮影レンズ２６は、フォーカスレンズ群２１およびズームレンズ群２０を含み、撮像素子２２の撮像面上に被写体像を結像させる。撮像素子２２はＣＣＤイメージセンサなどで構成され、撮像面上の被写体像を撮像し、撮像信号を撮像回路２３へ出力する。
【０００９】
フォーカスレンズ駆動装置１８は、ＣＰＵ１１からの指示に応じてフォーカスレンズ群２１を光軸方向に進退移動させる。これにより、撮影レンズ２６によるフォーカス調節が行われる。ＣＰＵ１１は、撮像素子２２からの撮像信号を用いて焦点評価値と呼ばれるコントラスト情報を取得し、焦点評価値を最大にするようにフォーカスレンズ群２１の移動指示をフォーカスレンズ駆動装置１８へ送る。
【００１０】
ズームレンズ駆動装置１９は、ＣＰＵ１１からの指示に応じてズームレンズ群２０を光軸方向に進退移動させる。これにより、撮影レンズ２６によるズーム調節が行われる。ＣＰＵ１１は、操作部材１５を構成するズームスイッチが操作されていることを示す信号がサブマイコン１７から入力されている場合に、ズームレンズ群２０の移動指示をズームレンズ駆動装置１９へ送る。
【００１１】
レンズバリア駆動装置２４は、ＣＰＵ１１からの指示により、撮影レンズ２６の被写体側に設けられているレンズバリア（不図示）を開閉制御する。レンズバリアは電子カメラ１のメインスイッチ２５がオン操作された場合に開駆動され、メインスイッチ２５がオフ操作された場合に閉駆動される。
【００１２】
撮像回路２３は、所定のアナログ処理（ゲインコントロールなど）を行うとともに、内蔵するＡ／Ｄ変換回路を用いてアナログ撮像信号をディジタルデータに変換する。
【００１３】
ＣＰＵ１１は、各ブロックから出力される信号を入力して所定の演算を行い、演算結果に基づく制御信号を各ブロックへ出力する。ＣＰＵ１１は画像処理回路を含み、撮像回路２３から入力されるディジタル画像信号に対して画像処理を行う。画像処理には、たとえば、輪郭強調や色温度調整（ホワイトバランス調整）処理、画像信号に対するフォーマット変換処理が含まれる。
【００１４】
バッファメモリ１２は、画像処理前後および画像処理途中のデータを一時的に格納する他、後述する記録媒体３０へ記録する前の画像ファイルを格納したり、記録媒体３０から読み出した画像ファイルを格納したりするために使用される。
【００１５】
記録媒体３０は、電子カメラ１に対して着脱可能なメモリカードなどで構成される。記録媒体３０には、ＣＰＵ１１からの指示によって撮影画像のデータおよびその情報を含む画像ファイルが記録される。記録媒体３０に記録された画像ファイルは、ＣＰＵ１１からの指示によって読み出しが可能である。
【００１６】
表示器１４は、ＣＰＵ１１からの指示によって撮像した画像のスルー画や再生画、コマ数情報や撮影条件、電池４０の残容量などを示す表示を行う。操作部材１５は、電子カメラ１の各種ボタンやスイッチ類を含み、レリーズボタンの押下操作、ズームスイッチの操作など、各操作部材の操作内容に応じた操作信号をサブマイコン１７へ出力する。
【００１７】
サブマイコン１７はシステム管理を行う。サブマイコン１７は電子カメラ１の電池ボックス４１に電池４０が装填されると起動し、電池ボックス４１の蓋４１ａの開扉情報、およびメインスイッチ２５の操作の有無をチェックする。メインスイッチ２５からオン操作信号が入力された場合、サブマイコン１７は電源回路１６へ指示を送り、ＣＰＵ１１への通電を開始させる。サブマイコン１７はさらに、ＣＰＵ１１からの電源制御指示を電源回路１６へ送る。電源回路１６は、電池４０による電圧を所定の電圧に変換したり、サブマイコン１７からの指示に応じて各ブロックへの通電制御を行う。
【００１８】
＜撮影動作＞
ＣＰＵ１１は、レリーズボタンの半押し操作を示す操作信号がサブマイコン１７を介して入力されると、測光を開始させる。測光は、撮像素子２２に測光用の撮像を行わせ、電荷蓄積後に出力される撮像信号の信号値から被写界の明るさ情報を取得する。ＣＰＵ１１はさらに、明るさ情報に基づいて露出演算を行い、露出条件を決定する。
【００１９】
また、ＣＰＵ１１は、撮像素子２２からの撮像信号を用いて上述した焦点評価値を取得し、この評価値に基づいてフォーカスレンズ群２１を移動させてオートフォーカス調節を行う。
【００２０】
半押し操作信号に続いてレリーズボタンの全押しを示す操作信号がサブマイコン１７を介して入力されると、ＣＰＵ１１は撮影動作を開始させる。具体的には、上記決定した露出条件で撮像素子２２に撮影用の電荷蓄積を行わせる。撮像回路２３は、撮影用の電荷蓄積後に撮像素子２２から出力される撮像信号に対して上述した信号処理を施す。ＣＰＵ１１がさらに信号処理を施し、処理後の画像データを記録媒体３０へ記録する。
【００２１】
本実施形態は、メインスイッチ２５のオン操作時の処理に特徴を有するので、この点を中心にさらに説明する。
＜電池チェック処理＞
メインスイッチ２５がオンされている電子カメラ１は、図２に例示する電池チェック処理を行うことによって装填されている電池４０の残容量を監視する。ＣＰＵ１１は、タイマー割り込み処理が許可されている場合に、所定時間間隔のタイマー割り込みが発生するごとに図２の処理を実行する。また、ＣＰＵ１１は、後述する所定条件が満たされた場合にタイマー割り込みでなく図２の処理を実行する。
【００２２】
図２のステップＳ５１において、ＣＰＵ１１は、電池４０の負荷を伴う処理が行われているか否かを判定する。ＣＰＵ１１は、たとえば撮影動作中やズームレンズ群２０の駆動中、発光装置（不図示）の充電中などの処理中にはステップＳ５１を肯定判定し、図２による処理を終了する。この場合は電池電圧チェックを行わない。ＣＰＵ１１は、電池４０の負荷を伴う処理中でない場合にはステップＳ５１を否定判定し、ステップＳ５２へ進む。
【００２３】
ステップＳ５２において、ＣＰＵ１１はサブマイコン１７へ指示を送り、A/D変換回路を内蔵する入力ポート(A/D)で電池４０の電圧値を検出させ、検出データをサブマイコン１７から入力してステップＳ５３へ進む。ステップＳ５３において、ＣＰＵ１１は、検出された電圧値が所定電圧値（第１判定値とする）未満か否かを判定する。ＣＰＵ１１は、検出電圧値が第１判定値未満の場合にステップＳ５３を肯定判定してステップＳ５５へ進み、検出電圧値が第１判定値以上である場合にはステップＳ５３を否定判定してステップＳ５４へ進む。
【００２４】
ステップＳ５４において、ＣＰＵ１１は、表示器１４に電池残量が十分であることを示す電池マークを点灯表示させてステップＳ６０へ進む。ステップＳ６０において、ＣＰＵ１１は、電池残量を示す電池情報を電池チェック結果として不揮発性メモリ１３に更新記憶し、図２による処理を終了する。
【００２５】
ステップＳ５５において、ＣＰＵ１１は、検出された電圧値が第１判定値より低い所定電圧値（第２判定値とする）未満か否かを判定する。ＣＰＵ１１は、検出電圧値が第２判定値未満の場合にステップＳ５５を肯定判定してステップＳ５７へ進み、検出電圧値が第２判定値以上である場合にはステップＳ５５を否定判定してステップＳ５６へ進む。
【００２６】
ステップＳ５６において、ＣＰＵ１１は、表示器１４に電池残量が半分であることを示す電池マークを点灯表示させてステップＳ６０へ進む。
【００２７】
ステップＳ５７において、ＣＰＵ１１は、検出された電圧値が第２判定値より低い所定電圧値（第３判定値とする）未満か否かを判定する。ＣＰＵ１１は、検出電圧値が第３判定値未満の場合にステップＳ５７を肯定判定してステップＳ５９へ進み、検出電圧値が第３判定値以上である場合にはステップＳ５７を否定判定してステップＳ５８へ進む。
【００２８】
ステップＳ５８において、ＣＰＵ１１は、表示器１４に電池残量が低下していることを示す電池マークを点滅表示させてステップＳ６０へ進む。ステップＳ５９において、ＣＰＵ１１は、表示器１４に「電池残量がありません」というメッセージを点滅表示させてステップＳ６０へ進む。
【００２９】
＜メイン処理＞
ＣＰＵ１１は、電源回路１６から通電されると図３に例示するメイン処理を起動する。図３のステップＳ１１において、ＣＰＵ１１は、割り込み禁止設定を行ってステップＳ１２へ進む。これにより、割り込みを許可する（ステップＳ１７）までタイマー割り込みをマスクする。
【００３０】
ステップＳ１２において、ＣＰＵ１１は、電池ボックス４１の蓋４１ａが開けられたか否かを判定する。ＣＰＵ１１は、前回のメイン処理が終了後（カメラ停止後）に蓋４１ａの開扉があったことを示す信号をサブマイコン１７から受けた場合にステップＳ１２を肯定判定してステップＳ２３へ進む。ＣＰＵ１１は、蓋４１ａの開扉を示す信号を受けない場合にはステップＳ１２を否定判定してステップＳ１３へ進む。
【００３１】
ステップＳ１３において、ＣＰＵ１１は、電池情報による電池残量が十分か否かを判定する。ＣＰＵ１１は、不揮発性メモリ１３から電池情報を読み出し、電池情報が「十分」を示す場合にステップＳ１３を肯定判定してステップＳ１４へ進む。ＣＰＵ１１は、読み出した電池情報が「十分」でない場合にはステップＳ１３を否定判定してステップＳ２３へ進む。不揮発性メモリ１３に記憶されている電池情報は、前回のメイン処理中に実行された最後の電池チェック処理において記憶されたものである。
【００３２】
ステップＳ１４において、ＣＰＵ１１は、前回のパワーオフ（カメラ停止）からの経過時間が所定時間を超えているか否かを判定する。ＣＰＵ１１は、前回のメイン処理中の電源オフ処理（ステップＳ２２）において記憶したタイムスタンプからの経過時間が、たとえば２４時間を超えていればステップＳ１４を肯定判定してステップＳ２３へ進み、２４時間以下であればステップＳ１４を否定判定してステップＳ１５へ進む。
【００３３】
ステップＳ２３において、ＣＰＵ１１は、図２に例示した電池チェック処理を行ってステップＳ２４へ進む。ステップＳ２３では、タイマー割り込みではなく電池チェック処理を実行する。ステップＳ２４において、ＣＰＵ１１は電池残量なしか否かを判定する。ＣＰＵ１１は、不揮発性メモリ１３内の電池情報が「電池残量がありません」に対応する場合はステップＳ２４を肯定判定し、ステップＳ２２へ進む。この場合は、ステップＳ１５以降のシーケンス処理へ進まない。ＣＰＵ１１は、不揮発性メモリ１３内の電池情報が電池残量十分、電池残量半分、および電池残量低下のいずれかに該当する場合にはステップＳ２４を否定判定し、ステップＳ１５へ進む。
【００３４】
ステップＳ１５において、ＣＰＵ１１はレンズバリア駆動装置２４へ指示を送り、レンズバリア（不図示）を開駆動させてステップＳ１６へ進む。ステップＳ１６において、ＣＰＵ１１はズームレンズ駆動装置１９へ指示を送り、ズームレンズ群２０を広角端に対応する位置へ移動させてステップＳ１７へ進む。これにより、撮影レンズ２６が筐体内に沈む沈胴位置から使用位置へ繰り出される。
【００３５】
ステップＳ１７において、ＣＰＵ１１は、割り込み許可を設定してステップＳ１８へ進む。これにより、図２に例示した電池チェック処理を所定時間ごとに繰り返し行うようになる。ステップＳ１８において、ＣＰＵ１１は撮影待機する。具体的には、レリーズボタンの操作を示す操作信号がサブマイコン１７を介して入力された場合は上述した撮影動作を行い、操作信号が入力されない場合はステップＳ１９へ進む。
【００３６】
ステップＳ１９において、ＣＰＵ１１は、メインスイッチ２５がオフ操作されたか否かを判定する。ＣＰＵ１１は、メインスイッチ２５のオフ操作を示す信号をサブマイコン１７から受けた場合にステップＳ１９を肯定判定してステップＳ２０へ進む。ＣＰＵ１１は、メインスイッチ２５のオフ操作を示す信号をサブマイコン１７から受けない場合にはステップＳ１９を否定判定し、ステップＳ２５へ進む。
【００３７】
ステップＳ２５において、ＣＰＵ１１は電池残量なしか否かを判定する。ＣＰＵ１１は、不揮発性メモリ１３内の電池情報が「電池残量がありません」に対応する場合はステップＳ２５を肯定判定し、ステップＳ２２へ進む。この場合はレンズおよびレンズバリアを動かさない。一方、ＣＰＵ１１は、不揮発性メモリ１３内の電池情報が電池残量十分、電池残量半分、および電池残量低下のいずれかに該当する場合にはステップＳ２５を否定判定し、ステップＳ１８へ戻る。
【００３８】
ステップＳ２０において、ＣＰＵ１１はズームレンズ駆動装置１９へ指示を送り、ズームレンズ群２０を所定位置へ移動させる。ＣＰＵ１１はさらにフォーカスレンズ駆動装置１８へ指示を送り、フォーカスレンズ群２１を所定位置へ移動させてステップＳ２１へ進む。レンズの所定位置は、撮影レンズ２６の沈胴時の位置である。
【００３９】
ステップＳ２１において、ＣＰＵ１１はレンズバリア駆動装置２４へ指示を送り、レンズバリア（不図示）を閉駆動させてステップＳ２２へ進む。ステップＳ２２において、ＣＰＵ１１は電源オフ処理を行って図３による処理を終了する。電源オフ処理では、不揮発性メモリ１３にタイムスタンプを記憶する他、サブマイコン１７に対して各ブロックへの通電停止を指示する。
【００４０】
以上説明した実施形態によれば、以下の作用効果が得られる。
（１）電子カメラ１は、不揮発性メモリ１３内に記憶している直近の電池情報を用いてオン操作に応じた起動時の電池チェック処理の実行要否を判定した（ステップＳ１３）。これにより、実行否を判定した場合には起動直後の電池チェック処理（ステップＳ２３）を省略し、起動時に必ず電池チェック処理を行う場合に比べて撮影準備の処理へ早く進むことができる。
【００４１】
（２）記憶している電池情報が電池残量十分でない場合、オン操作後の起動時に電池チェック処理を実行するように判定したので、ステップＳ１５以降のシーケンス処理へ進む前に電池チェックを行わせ（ステップＳ２３）、電力不足によりシーケンス処理の途中で正常動作ができなくなるおそれを防止できる。
【００４２】
（３）電子カメラ１は、オフ操作による前回のパワーオフからの経過時間を用いてオン操作に応じた起動時の電池チェック処理の実行要否を判定した（ステップＳ１４）。これにより、実行否を判定した場合には起動直後の電池チェック処理（ステップＳ２３）を省略し、起動時に必ず電池チェック処理を行う場合に比べて撮影準備の処理へ早く進むことができる。
【００４３】
（４）前回のパワーオフから経過した時間が所定時間を超えている場合、オン操作後の起動時に電池チェック処理を実行するように判定したので、ステップＳ１５以降のシーケンス処理へ進む前に電池チェックを行わせ（ステップＳ２３）、電池情報を記憶した時点から電池４０が自然放電したことに起因して、電力不足によりシーケンス処理の途中で正常動作ができなくなるおそれを防止できる。
【００４４】
（５）電子カメラ１は、電池ボックス４１の蓋４１ａの開扉情報を用いてオン操作に応じた起動時の電池チェック処理の実行要否を判定した（ステップＳ１２）。これにより、実行否を判定した場合には起動直後の電池チェック処理（ステップＳ２３）を省略し、起動時に必ず電池チェック処理を行う場合に比べて撮影準備の処理へ早く進むことができる。
【００４５】
（６）電池ボックス４１の蓋４１ａが開けられた場合、オン操作後の起動時に電池チェック処理を実行するように判定したので、ステップＳ１５以降のシーケンス処理へ進む前に電池チェックを行わせ（ステップＳ２３）、電池情報を記憶した時点と異なる電池４０が装填されたことに起因して、電力不足によりシーケンス処理の途中で正常動作ができなくなるおそれを防止できる。
【００４６】
（変形例１）
ステップＳ１４で判定した時間（上記例では２４時間）は一例であるため、使用する電池４０の定格容量に応じて適宜変更してよい。
【００４７】
（変形例２）
電池残量を３段階に判定する例を説明したが、判定段数は２段でも４段でも構わない。
【００４８】
（変形例３）
ステップＳ１４で判定する時間は、電池情報が示す電池残量に応じて異ならせてもよい。たとえば電池情報が電池残量十分に該当する場合の判定時間を１ヶ月とし、電池残量半分に該当する場合の判定時間を１週間とし、電池残量低下に該当する場合の判定時間を２４時間とする。電池４０の自然放電によって電池電圧が第３判定値未満へ低下するまでの時間は電池残量が十分か否かによって異なることから、電池残量に応じて判定時間を変えることにより、起動時に電池チェック処理を実行するか否かを精度よく判定できる。
【００４９】
（変形例４）
電池４０が二次電池で構成される場合のように交換頻度が少ない場合には、ステップＳ１２をスキップさせてもよい。また、不揮発性メモリ１３内にタイムスタンプ情報が記憶されていない場合にはステップＳ１４をスキップさせてもよい。
【００５０】
（変形例５）
ＣＰＵ１１がサブマイコン１７に電池４０の電圧検出させる例を説明したが、ＣＰＵ１１が自身の入力ポート(A/D)で電圧検出する構成にしてもよい。また、ＣＰＵ１１とシステム管理用のサブマイコン１７とを分ける構成例を説明したが、ＣＰＵ１１のみで構成してもよい。
【００５１】
（変形例６）
電子カメラを例に説明したが、フィルムカメラの場合にも本発明を適用できる。
【００５２】
以上の説明はあくまで一例であり、上記の実施形態の構成に何ら限定されるものではない。
【図面の簡単な説明】
【００５３】
【図１】本発明の一実施の形態による電子カメラのブロック図である。
【図２】ＣＰＵが行う電池チェック処理を説明するフローチャートである。
【図３】ＣＰＵが行うメイン処理を説明するフローチャートである。
【符号の説明】
【００５４】
１…電子カメラ
１１…ＣＰＵ
１２…バッファメモリ
１３…不揮発性メモリ
１６…電源回路
１７…サブマイコン
２５…メインスイッチ
４０…電池
４１…電池ボックス
４１ａ…蓋
【図１】
2008191312.tif 000003
【図２】
2008191312.tif 000004
【図３】
2008191312.tif 000005